(57)【特許請求の範囲】
【請求項１】
軸筒内に軸方向に移動可能に収納した芯タンクと、該芯タンクを後方に付勢するよう芯タンクの前部と軸筒の内面間に設けたノックスプリングと、該芯タンクの周囲に軸方向に移動可能に遊嵌した重量体と、上記芯タンクにより移動するよう該芯タンクの前部に保持され芯を把持するチャックを固着したチャックガイドと、該チャックガイドを弱い力で後方に付勢するようチャックガイドの前部と軸筒の内面間に設けたチャックスプリングと、該芯タンクに設けられ芯タンクの後退動を制限するよう軸筒に形成した窓に係合する係止突起を具備し、上記チャックガイドは、上記重量体が前進した際該重量体が当接可能にかつ該重量体により芯タンクから独立して前方に移動するよう軸方向に移動可能に上記芯タンクに連結されていることを特徴とするシャープペンシル。
【請求項２】
上記芯タンクの前部には挿入片が形成され、上記チャックガイドには該挿入片が移動可能に貫通する貫通孔が有り、該貫通孔を通って前方に延びている該挿入片の先端にはスプリング受部が形成され、該スプリング受部と軸筒の内面間に上記ノックスプリングが挿入されている請求項１に記載のシャープペンシル。
【請求項３】
上記芯タンクの挿入片は軸方向に延びる受溝により形成され、上記チャックガイドには芯タンクの内面に対向する内筒と、該内筒との間に芯タンク壁が入り込む挿入間隙を存して芯タンクの外面に対向する外筒と、該内筒及び外筒を連結し上記受溝内に入り込む幅を有する連結片が形成され、該挿入間隙の前部には上記貫通孔が形成されている請求項２に記載のシャープペンシル。
【請求項４】
上記芯タンクがノックスプリングにより後方に移動されているとき、上記受溝の底部と連結片の間には遊び間隙が形成されている請求項３に記載のシャープペンシル。
【請求項５】
上記チャックガイドの内筒には、上記チャックが固着され、上記外筒の後端部には上記重量体が当接する当接面が形成され、前端部には上記チャックスプリングが当接する支承面が形成されている請求項３または４に記載のシャープペンシル。
【請求項６】
上記芯タンクには、上記係止突起を窓に係止する際、芯タンクのたわみを許容するよう逃げ孔が形成されている請求項１に記載のシャープペンシル。
【請求項７】
上記芯タンクには、重量体が当接するよう衝撃吸収片が設けられている請求項１〜６のいずれかに記載のシャープペンシル。
【請求項８】
上記衝撃吸収片は、芯タンクの外面に起立させた起立片である請求項７に記載のシャープペンシル。
【発明の詳細な説明】
【技術分野】
【０００１】
本発明は、軸筒を上下に振ることにより芯を繰り出すことができるようにしたシャープペンシルに関するものである。
【背景技術】
【０００２】
軸筒内に収納した重量体を上下動させてチャック部を前方（軸筒の先端方向）へ移動させたり、ノック操作によってチャック部を前進させて芯を繰り出すようにしたシャープペンシルが広く用いられている（例えば特許文献１参照）。一般的に、このようなシャープペンシルは、軸筒内に軸方向に移動可能に収納した芯タンクの前端にチャックを固着し、チャックスプリングで該芯タンクを後方に付勢し、この芯タンクに取り付けたコネクターに突部を形成しこの突部に当るよう芯タンクの外周に重量体を摺動可能に嵌挿してある。一方、この芯タンクの後方には、芯タンクと別に形成したクリップホルダーを挿入固定し、このクリップホルダーに消しゴム支えを軸方向に移動可能に設け、この消しゴム支えに消しゴム及びノブを取り付け、消しゴム支えのフランジ部とクリップホルダー間にノックスプリングを設けて消しゴム支えを後方に付勢している。
【０００３】
上記の構成により、軸筒を上下動すると重量体が芯タンクの突起に当って該芯タンクを前進させ、芯を繰り出すことができる。また、ノブを介して消しゴム支えをノックすると、該消しゴム支えの内端が芯タンクの後端に当って該芯タンクを前進させ、芯を繰り出すことができる。このように、従来のこの種のシャープペンシルでは、芯の繰り出しに際し、常に芯タンク全体を前進させることにより芯を繰り出すよう構成されている。
【０００４】
上記のような構成のため、従来のシャープペンシルでは、芯タンクの他に別体にクリップホルダーや消しゴム支え等を形成しなければならないから、部品点数が多くなり、また軸筒の前端側からチャックやチャックスプリング、コネクター等を組み込んだメカ部を挿入し、後端側から消しゴム支えやノックスプリングを組み込んだクリップホルダー部を軸筒に挿入固定しなければならないので、組立も面倒であり、複雑で経済的に得にくいという問題があった。
【先行技術文献】
【特許文献】
【０００５】
【特許文献１】特許第４２９３８０３号公報（図１）
【発明の概要】
【発明が解決しようとする課題】
【０００６】
本発明の解決課題は、軸筒を上下に振ったり、軸筒の後端から突出する芯タンクをノックすることにより芯を繰り出すようにしたシャープペンシルにおいて、部品点数を少なくし、組立工程も殆ど軸筒の後端から挿入固定して簡単に組立できるようにしたシャープペンシルを提供することである。
【課題を解決するための手段】
【０００７】
本発明によれば、軸筒内に軸方向に移動可能に収納した芯タンクと、該芯タンクを後方に付勢するよう芯タンクの前部と軸筒の内面間に設けたノックスプリングと、該芯タンクの周囲に軸方向に移動可能に遊嵌した重量体と、上記芯タンクにより移動するよう該芯タンクの前部に保持され芯を把持するチャックを固着したチャックガイドと、該チャックガイドを弱い力で後方に付勢するようチャックガイドの前部と軸筒の内面間に設けたチャックスプリングと、該芯タンクに設けられ芯タンクの後退動を制限するよう軸筒に形成した窓に係合する係止突起を具備し、上記チャックガイドは、上記重量体が前進した際該重量体が当接可能にかつ該重量体により芯タンクから独立して前方に移動するよう軸方向に移動可能に上記芯タンクに連結されていることを特徴とするシャープペンシルが提供され、上記課題が解決される。
【０００８】
また、本発明によれば、上記チャックガイドは芯タンク壁が入り込む挿入間隙を開けて対向する内筒と外筒および該内筒、外筒を連結する連結片を有し、上記芯タンクには上記連結片が入り込む受溝が形成され、該受溝と該チャックガイドの連結片の間には、芯タンクが後退しているとき遊び間隙が形成され、上記芯タンクは衝撃吸収片を有している上記シャープペンシルが提供される。
【発明の効果】
【０００９】
本発明は、上記のように構成され、軸筒内に軸方向に移動可能に収納した芯タンクと、該芯タンクを後方に付勢するよう芯タンクの前部と軸筒の内面間に設けたノックスプリングと、該芯タンクの周囲に軸方向に移動可能に遊嵌した重量体と、上記芯タンクにより移動するよう該芯タンクの前部に保持され芯を把持するチャックを固着したチャックガイドと、該チャックガイドを弱い力で後方に付勢するようチャックガイドの前部と軸筒の内面間に設けたチャックスプリングと、該芯タンクに設けられ芯タンクの後退動を制限するよう軸筒に形成した窓に係合する係止突起を具備し、上記重量体が前進した際該重量体が上記チャックガイドに当接しかつ該重量体により芯タンクから独立してチャックガイドが前方に移動するよう軸方向に移動可能に上記芯タンクにチャックガイドを連結したから、軸筒を上下動させるとチャックガイドが前進して芯を繰り出すことができ、組立の際、チャックガイドや重量体を組み込んだ芯タンクを軸筒の後端から挿入組み付けするだけで簡単に組立でき、従来のこの種のシャープペンシルのように、芯タンクの他に別体にクリップホルダーや消しゴム支えを用意したり、軸筒の前部からメカ部を組み込んだ後、軸筒の後部からクリップホルダー部を組み込んだりしなくてもよいので、構成が著しく簡素化され、組立も容易で経済的に得ることができる。
【００１０】
また、上記チャックガイドに芯タンク壁が入り込む挿入間隙をあけて対向する内筒と外筒および該内筒、外筒を連結する連結片を設け、上記芯タンクに上記連結片が入り込む受溝を形成し、該受溝と該チャックガイドの連結片の間に、芯タンクが後退しているとき遊び間隙を存するように構成すると、芯タンクの後部に取り付けた消しゴム等を使用する際、芯タンクが多少前方に押圧されても、チャックガイドが移動されず、芯が不用意に突出しないようにできる。その上、上記芯タンクに衝撃吸収片を設け、該衝撃吸収片として芯タンクの外面に起立片を立ち上げると、衝撃吸収片の構成が簡単であり、別部品や組み込み工程が不要となって、より経済的に得ることができる。
【図面の簡単な説明】
【００１１】
【図１】本発明の一実施例を示す、一部を半断面した正面図。
【図２】芯タンクを示し、（Ａ）は一部を半断面した正面図、（Ｂ）は芯タンクの前端側からみた側面図、（Ｃ）は係止突起部分の断面図、（Ｄ）は衝撃吸収片部分の断面図。
【図３】芯タンクを軸筒に取り付ける場合を示し、（Ａ）は芯タンクを軸筒に挿入した状態、（Ｂ）は軸筒の窓に係止突起が係合する位置まで芯タンクを挿入した状態の各説明図。
【図４】チャックガイドを示し、（Ａ）は一部を半断面した正面図、（Ｂ）は（Ａ）の位置から９０度回転した部分の一部を半断面した正面図、（Ｃ）は（Ａ）の状態の右側面図、（Ｄ）は連結片部分の断面図。
【図５】チャックガイド部分の分解斜視図。
【図６】ノック操作で芯を繰り出す場合の説明図。
【図７】上下動操作で芯を繰り出す場合の説明図。
【図８】消しゴムユニットを取り付けた一実施例を示す説明図。
【発明を実施するための形態】
【００１２】
図１は、本発明のシャープペンシルの一実施例を示し、軸筒１の前端にはブレーカーゴム、弾性保持片等の芯仮保持機構２を設けたテーパー３が連結され、該軸筒１内には、軸方向に移動可能に筒状の芯タンク４が収納されている。該芯タンク４の前部には、図２（Ａ）に示すように、受溝（割り溝）５を対向して設けることにより二つの挿入片６が形成され、該挿入片６の先端に設けたスプリング受７と軸筒の内面に形成した段部８の間に、芯タンク４を後方に付勢するノックスプリング９が設けられる。上記スプリング受は、図に示す実施例では小さな突片に形成してあるが、凹み部であってもよく、挿入片の数は適宜に形成することができる。なお、ノックスプリングの荷重は、例えば５００ｇ程度の高荷重に設定されている。
【００１３】
上記芯タンク４の後部に形成した拡径部１０には係止突起１１が設けられている。該係止突起１１は、図３に示すように、芯タンクを軸筒に挿入する際、軸筒内に入り込んで該軸筒に形成した軸方向に延びる窓１２内に容易に突出するよう前端に傾斜面１３が形成され、芯タンクが後退するとき、該窓１２の縁部１４に確実に係合して後退動を制限するよう後端に起立面１５が形成されている。また、該芯タンクを軸筒の後端から挿入して軸筒に装着する際、芯タンク４が内方にたわんで上記係止突起１１を容易に上記窓１２内に突出させることができるよう芯タンク４のたわみを許容するための逃げ孔１６が上記拡径部１０に形成され、該拡径部の少し前方の芯タンクの中間部には衝撃吸収片１７として芯タンクと一体的に形成された起立片が突出している。なお、該芯タンク４の拡径部１０の後端には消しゴム１８が嵌着されている。
【００１４】
上記芯タンク４の周囲には、軸筒１を上下動した際、軸方向に移動するよう筒状の金属パイプ等で構成した重量体１９が遊嵌されている。上記芯タンク４の拡径部１０の手前には、重量体１９が当接したとき衝撃を吸収、緩和できるよう上記起立片のような衝撃吸収片１７が設けられているが、起立片に代えて、ゴム材料、エラストマー材料等の弾性材料で芯タンクとは別体に形成した部材を芯タンクに取り付けて衝撃を吸収することもできる。図２に示すように芯タンクの外面から一体的に立ち上がる形状の上記起立片を設けると、重量体が該起立片に当ったときに該起立片の先端が少し弾性的に傾斜して衝撃を吸収することができるので、部品点数が減少され、組立も容易となり、一層好ましい。
【００１５】
上記芯タンク４の前部には、チャックガイド２０が軸方向に移動可能に取り付けられている。図４を参照し、該チャックガイド２０には、上記芯タンク４の内面に対向する内筒２１と、該内筒２１との間に芯タンク壁が入り込む挿入間隙２２を存して芯タンクの外面に対向する外筒２３と、該内筒２１と外筒２３を連結しかつ上記芯タンク４の受溝５内に入り込む幅の連結片２４が形成され、上記挿入間隙２２の前部には、上記芯タンク４の前部に形成した挿入片６が貫通するよう貫通孔２５が設けられ、軸筒１の内面に形成した段部８との間にはチャックガイド２０を後方に付勢するチャックスプリング２６が設けられている。この構成により、該チャックガイド２０は、挿入片６に沿って軸方向に移動可能であり、好ましくは、組立に際し、芯タンク４に装着後、重量体が自重でチャックガイドに軽く当る程度では芯タンクから簡単に抜け落ちない程度に貫通孔の縁部にかみ合うよう上記貫通孔を通って前方に延びる挿入片６の外周にはチャックガイドの貫通孔の縁部に当接可能な隆起部２７が形成されている。このためには、該隆起部部分を内方に押し込んだ状態で挿入片を上記貫通孔に挿通し、貫通後、隆起部部分が弾性作用でもとに戻って上記のように係合できるようにすればよい。
【００１６】
上記チャックガイド２０の内筒２１の前方内面には、クラッチ２８を嵌着したチャック２９の基端を挿入固定できるようチャック固定部３０が形成されている。該クラッチ２８はチャックガイド２０が後退するとき、公知のように軸筒１の内方先端に係止され、チャック２９を締め付ける。また、上記外筒２３の前端部には支承面３１が形成され、該支承面３１には、上述したように軸筒の段部８との間に設けた上記チャックスプリング２６が当接する。このチャックスプリング２６は、上記ノックスプリング９より弱い力のスプリングであり、例えば、１５０ｇ程度の低荷重に設定される。外筒２３の後端部には、上記重量体１９が当接するよう当接面３２が形成されている。
【００１７】
上記の構成により、チャックスプリング２６、ノックスプリング９を軸筒の後端から軸筒内に挿入し、芯タンク４の中間部に重量体１９を遊嵌するとともに前部に形成した挿入片６をチャックガイド２０の貫通孔２５に貫挿させてチャックガイド２０を芯タンク４に装着し、この芯タンクの組立体を軸筒の後端から挿入し、係止突起１１を窓１２に係合させれば、組み付けが終了する。その後、軸筒の前方からチャック２９をチャックガイド２０に差し込んだり、消しゴム１８やテーパー３を取り付ければよい。このように殆どの工程を軸筒の後端側からできるので、組み立てが簡単である。なお、組立状態で、芯タンクが後退しているとき、上記チャックガイド２０の連結片２４と芯タンク１の受溝５の底部３３間には、図１に示すように若干の遊び間隙Ｓを生じるようにしてある。この遊び間隙Ｓは、芯タンク４の後端に設けた消しゴム１８を通常のように使用した際、芯タンク４が前方に多少押し込まれる程度では、連結片２４に受溝の底部３３が当らないような寸法にするとよい。
【００１８】
そして、ノック操作で芯３４を繰り出すには、図６に示すように、通常のシャープペンシルと同じように芯タンク４の後端を前方にノックすると、ノックスプリング９に抗して芯タンク４が前進し、受溝の底部３３がチャックガイド２０の連結片２４に当接し、該チャックガイド２０がチャックスプリング２６に抗して前進するから、該チャックガイド２０に固着したチャック２９が前進して公知のように芯３４を繰り出すことができる。ノックを停止すると、芯タンクは後退するが、この後退動は係止突起１１が窓１２の縁部１４に当ることにより制限される。芯３４を後退させる場合は、公知のように芯タンク４をノックしながら芯３４の先端をテーパー３内に押戻せばよい。
【００１９】
上記軸筒１を上下動させると、図７に示すように、重量体１９が前進して上記チャックガイド２０の外筒２３の後端部に設けた当接面３２に当り、該チャックガイド２０をチャックスプリング２６に抗して前進させることができるから、上記ノック操作の場合と同様に芯３４が繰り出される。なお、この場合、チャックガイド２０は芯タンク４から独立しているので、芯タンク４は前進せずに、チャックガイド２０だけが移動する。
【００２０】
上記重量体１９が芯タンク４の拡径部１０に当るような位置まで軸筒１内で上下動すると、拡径部の手前に設けた衝撃吸収片１７に当るから、芯タンク４に消しゴム１８が外れてしまうような大きな衝撃を与えないようにすることができる。そのため、図８に示すように繰出形式の消しゴムユニット３５やその他の適宜の部材を芯タンク４の後端部に装着しても、振動、衝撃等で該消しゴムユニット３５等が外れないようにすることができる。
【符号の説明】
【００２１】
１    軸筒
３    テーパー
４    芯タンク
５    受溝
６    挿入片
９    ノックスプリング
１０  拡径部
１１  係止突起
１２  窓
１７  衝撃吸収片
１９  重量体
２０  チャックガイド
２１  内筒
２２  挿入間隙
２３  外筒
２４  連結片
２５  貫通孔
２６  チャックスプリング
２９  チャック
３０  チャック固定部  
【図１】
0005416632.tif 000002
【図２】
0005416632.tif 000003
【図３】
0005416632.tif 000004
【図４】
0005416632.tif 000005
【図５】
0005416632.tif 000006
【図６】
0005416632.tif 000007
【図７】
0005416632.tif 000008
【図８】
0005416632.tif 000009